【事件の表示】
　特許第２８２１６６０号「太陽電池の支持装置」の特許に対する特許異議の申立てについて、次のとおり決定する。
【結論】
　訂正を認める。
　特許第２８２１６６０号の特許を維持する。
【理由】
（１）手続きの経緯
　本件特許第２８２１６６０号発明は、平成５年１１月３０日に特許出願され、平成１０年９月４日にその発明の特許がなされ、その後、石浜　敏より特許異議の申立てがなされ、取消理由通知がなされ、その指定期間内である平成１１年９月１３日に訂正請求がなされたものである。
（２）訂正の適否についての判断
ア．特許請求の範囲の訂正
　ａ、訂正明細書の請求項（１）に係る発明は、その特許請求の範囲の請求項（１）に特定された次のとおりのものである。
「【請求項１】溝形断面を備えた多数の架台を互いに平行に配置して、それら架台間に跨るようにして太陽電池モジュールを設置するとともに、上記架台の側壁部に形成した開口を通ってその架台を横断する配線により、同じ架台を挟んで互いに隣接する太陽電池モジュール同士を配線接続し、かつ、その接続方向の最端部の太陽電池モジュールに接続した各配線を、前記１つの架台の側壁部に形成された開口からその架台の溝内へ導入してその溝内へ集約し、且つ、その溝内へ導入した各配線を同じ溝内を通って同じ架台に形成された１つの開口より建物本体側へ導出してなることを特徴とする太陽電池の支持装置。」
イ．発明の詳細な説明の訂正
ａ、明細書第２頁段落【０００５】第４行（特許掲載公報第３欄第１８行）の「開口を介して互いに隣接する」を「開口を通ってその架台を横断する配線により、同じ架台を挟んで互いに隣接する」と訂正する。
ｂ、明細書第３〜４頁段落【００１０】第３〜４行（特許掲載公報第４欄第２６〜２７行）の「開口（２３）（２３）を通って、他方の太陽電池モジュール（１）側に導き出され」を「開口（２３）（２３）を通って、同じ架台（２）を挟んで互いに隣接する他方の太陽電池モジュール（１）側に、その架台（２）を横断する方向に導き出され」と訂正する。
ｃ、明細書第５頁段落【００１３】の末尾（特許掲載公報第６欄第６行目）に、「また、各モジュールを接続する配線は、架台の開口を通してその架台を横断する方向に配線されて、その架台を挟んで隣接するモジュール同士を接続するとともに、その架台と平行な架台に集約して、同じ架台の開口から建物本体側へ導き出すこととしているので、架台は互いに平行な一方向にのみ配置すれば足り、それらと直角な横方向にも架台を設ける必要がない。」を加入する。
ウ．訂正の目的の適否及び拡張・変更・新規事項の存否
　上記訂正ア．は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正イ．は、発明の詳細な説明の欄中の明瞭でない記載の釈明（特許請求の範囲の訂正に付随する訂正である。）を目的とするものであり、願書に添付した明細書又は図面に記載された事項の範囲内のものであり、新規事項の追加もない。
エ．独立特許要件の判断
（引用刊行物に記載された発明）
　訂正明細書の請求項１に係る発明（以下、「本件請求項１に係る発明」という。）に対して、当審が通知した取消理由で引用した特開平５−１６７０９５号公報（以下、「第１引用例」という。）には、溝形断面を備えた多数の縦アルミフレーム１７を互いに平行に配置して、それら縦アルミフレーム１７間に跨るようにして太陽電池モジュール１１を設置するとともに、上記縦アルミフレーム１７の側壁部に形成した開口を通る出力リード線２０により、太陽電池モジュール１１を縦方向のケーブル２１に接続し、かつ、そのケーブル２１の最端部を、横終端フレーム２２の溝内のケーブル２１に接続し、その溝内のケーブル２１を建物本体側へ導出してなることを特徴とする太陽電池の支持装置、が記載さている。
（請求項１に係る発明についての対比・判断）
　本件請求項１に係る発明と第１引用例に記載の発明とを対比すると、本件請求項１に係る発明の「架台」、「太陽電池モジュール」は、第１引用例に記載の発明の「縦アルミフレーム１７」、「太陽電池モジュール１１」に相当するから、両者は、溝形断面を備えた多数の架台を互いに平行に配置して、それら架台間に跨るようにして太陽電池モジュールを設置するとともに、配線を建物本体側へ導出してなることを特徴とする太陽電池の支持装置で一致し、
（イ）本件請求項１に係る発明では、上記架台の側壁部に形成した開口を通ってその架台を横断する配線により、同じ架台を挟んで互いに隣接する太陽電池モジュール同士を配線接続したのに対して、第１引用例記載の発明では、そのような記載が無い点、
（ロ）本件請求項１に係る発明では、その接続方向の最端部の太陽電池モジュールに接続した各配線を、前記１つの架台の側壁部に形成された開口からその架台の溝内へ導入してその溝内へ集約したのに対して、第１引用例記載の発明では、その点に関する記載が無い点、
（ハ）本件請求項１に係る発明では、その溝内へ導入した各配線を同じ溝内を通って同じ架台に形成された１つの開口より導出したのに対して、第１引用例記載の発明では、溝内のケーブル２１を導出した点で相違する。
　してみれば、第１引用例には上記（イ）〜（ハ）で示した、本件請求項１に係る発明の構成の一部が無い。
　そして、本件請求項１に係る発明は、上記（イ）〜（ハ）の構成を有することによって、明細書記載の効果を奏するものであるから、本件請求項１に係る発明が、第１引用例に記載された発明であるとも、第１引用例に記載された発明に基づいて、当業者が容易に発明をすることができたものとも言えない。
　したがって、本件請求項１に係る発明は特許出願の際独立して特許を受けることができない発明とすることはできない。
オ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア．申立ての理由の概要
　申立人石浜　敏は、証拠として甲第１号証（特開平５−１６７０９５号公報、上記第１引用例）を提出し、請求項１に係る発明は、特許法第２９条第１項第３号の規定に違反してなされたものであるから、特許を取り消すべき旨主張し、また、特許法第２９条第２項の規定に違反してなされたものであるから、特許を取り消すべき旨主張している。
イ．判断
〔本件請求項１に係る発明〕
申立人石浜　敏の主張に対し、甲第１号証は、上記（２）エ．で示したとおりである。
ウ．むすび
　以上のとおりであるから、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１１月１０日（１９９９．１１．１０）
【訂正の要旨】
　　　訂正の要旨
特許請求の範囲の減縮を目的として、下記（１）のように特許請求の範囲を訂正する。また、明瞭でない記載の釈明を目的として下記（２）〜（４）のように訂正する。
（１）特許請求の範囲を次のとおり訂正する。「【請求項１】溝形断面を備えた多数の架台を互いに平行に配置して、それら架台間に跨るようにして太陽電池モジュールを設置するとともに、上記架台の側壁部に形成した開口を通ってその架台を横断する配線により、同じ架台を挟んで互いに隣接する太陽電池モジュール同士を配線接続し、かつ、その接続方向の最端部の太陽電池モジュールに接続した各配線を、前記１つの架台の側壁部に形成された開口からその架台の溝内へ導入してその溝内へ集約し、且つ、その溝内へ導入した各配線を同じ溝内を通って同じ架台に形成された１つの開口より建物本体側へ導出してなることを特徴とする太陽電池の支持装置。」
（２）明細書第２頁段落【０００５】第４行（特許掲載公報第３欄第１８行）の「開口を介して互いに隣接する」を「開口を通ってその架台を横断する配線により、同じ架台を挟んで互いに隣接する」と訂正する。
（３）明細書第３〜４頁段落【００１０】第３〜４行（特許掲載公報第４欄第２６〜２７行）の「開口（２３）（２３）を通って、他方の太陽電池モジュール（１）側に導き出され」を「開口（２３）（２３）を通って、同じ架台（２）を挟んで互いに隣接する他方の太陽電池モジュール（１）側に、その架台（２）を横断する方向に導き出され」と訂正する。
（４）明細書第５頁段落【００１３】の末尾（特許掲載公報第６欄第６行目）に、「また、各モジュールを接続する配線は、架台の開口を通してその架台を横断する方向に配線されて、その架台を挟んで隣接するモジュール同士を接続するとともに、その架台と平行な架台に集約して、同じ架台の開口から建物本体側へ導き出すこととしているので、架台は互いに平行な一方向にのみ配置すれば足り、それらと直角な横方向にも架台を設ける必要がない。」を加入する。
（５４）【発明の名称】
太陽電池の支持装置
（５７）【特許請求の範囲】
　　【請求項１】　溝形断面を備えた多数の架台を互いに平行に配置して、それら架台間に跨るようにして太陽電池モジュールを設置するとともに、上記架台の側壁部に形成した開口
を通ってその架台を横断する配線により、同じ架台を挟んで
【発明の詳細な説明】
　　　【０００１】
　　【産業上の利用分野】
　この発明は、屋根上に設置される太陽電池の支持装置であって、特に、各太陽電池問を接続し、且つ、太陽電池によって蓄電した電気をインバータ側へ取り出すための配線構造に関するものである。
　　　【０００２】
　　【従来の技術】
　太陽光発電のための太陽電池モジュールを屋根上に設置する場合、屋根の上にまず架台を設置して、この架台へ太陽電池モジュールを取付けるのが一般である。この場合、各太陽電池モジュールは、電気配線によって直列接続する必要があり、この太陽電池モジュールの設置の際にそれらモジュール同士を接続しながら架台へ固定し、接続方向の最端部の太陽電池モジュールから導き出した終端の配線を、建物内の適所に設置したインバータヘ導くようにしている。
　　　【０００３】
　　【発明が解決しようとする課題】
　上記のように、太陽電池を屋根上に設置する場合には、その屋根上に各電池間を接続する電気配線、及び、太陽電池によって発生した直流電流を建物内のインバータヘ導くための電気配線を施す必要があり、従来においては、これらの配線が屋根上に入り組んでその後の作業の妨げとなったり、或は、配線が外部に露出して外観を見苦しくするといった不都合があった。
　　　【０００４】
　この発明は、このような従来の欠点を解消して、太陽電池に接続した配線が入り組んで作業の妨げとなったり、或は、配線が露出して外観を見苦しくすることのない太陽電池の支持構造を提供することを目的とする。
　　　【０００５】
　　【課題を解決するための手段】
　上記の課題を解決するため、この発明では、溝形断面を備えた多数の架台を互いに平行に配置して、それら架台間に跨るようにして太陽電池モジュールを設置するとともに、上記架台の側壁部に形成した開口
を通ってその架台を横断する配線により、同じ架台を挟んで
　　　【０００６】
　　【作用】
　上記のように、各モジュール間の配線は、架台に形成した開口を介して行われるから、例えば架台を迂回させたりする必要がなく、平面から見て略直線的に整然と配置される。また、最端部の各配線は、１つの架台の溝内へ集約して建物内のインバータヘ導かれるようになっているので、同様に入り組んだり露出したりすることなく整然と収容出来る。
　　　【０００７】
　　【実施例】
　図５は、住宅の寄棟屋根に太陽電池を設置した状態を示しており、多数の長方形状の太陽電池モジュール（１）（１）…を、左右及び上下方向に並べて全体として山型に配置している。図４は、上記太陽電池モジュール（１）（１）…の配置状態の左半部部分を概略平面図である。図において（２）（２）…は、屋根傾斜方向に沿って配置される複数本の長物材からなる架台であり、このように左右方向に平行に並べて設置され、これら各左右の一対の架台（２）（２）…間に跨るようにして、それぞれ太陽電池モジュール（１）（１）…を固定するものである。
　　　【０００８】
　図１及び図２は、上記架台（２）とその架台（２）への太陽電池モジュール（１）の取付け構造を示している。架台（２）は、図２のように、リップ付の溝型鋼からなるもので、そのリップ（３）が上部側となるようにして即ち溝が上向きとなるようにして屋根材（４）の上面に設置されている。（５）は、屋根母屋（６）に固定された支持金具で、この支持金具（５）へ下側から差し込んだ支持ボルト（７）の上部先端を、野地板（８）、その上部のアスファルトルーフィング（９）及び屋根材（４）等を貫通させて上方に突出させ、この突出部分に、架台（２）のウエブ（１０）部分をナット（ｌｌ）で締付け固定している。
　　　【０００９】
　太陽電池モジュール（１）（１）は、それぞれ外周のモジュール枠（１３）と、そのモジュール枠（１３）内に取付けられたモジュール本体（１４）とからなるもので、その左右両側の端部が、前記各リップ（３）（３）の上面に設置されている。（１５）は、太陽電池モジュール（１）を固定するための固定金具であって、断面倒コの字型の金具本体（１６）と、その金具本体（１６）の中央部へ上方から差し込んだ締付けボルト（１７）と、この締付けボルト（１７）の下端に螺合した止め具（１８）とから構成されている。金具本体（１６）の両端が、前記モジュール枠（１３）の外側面に固定した金具受け片（１９）の上端とモジュール枠（１３）外側面との間の隙間へ挿入されるとともに、止め具（１８）を、リップ（３）の裏面へ当接させて、上下両側から締め付けて固定するようになっている。
　　　【００１０】
　（２１）は、左右方向に隣接する太陽電池モジュール（１）（１）の内、その一端を一方の太陽電池モジュール（１）へ連結した電気配線であり、その他端は、前記架台（２）の左右の側壁の（２２）（２２）に形成した開口（２３）（２３）を通って、
同じ架台（２）を挟んで隣接する
、その架台（２）を横断する方向に
　　　【００１１】
　各太陽電池モジュール（１）（１）間の配線構造は、図４で示されており、このように、左右方向に隣接する各太陽電池モジュール（１）（１）間においては、全て、架台（２）すなわちその架台（２）の開口（２３）を介して相互に接続するようになっている。（２５）は、このように互いに接続される一連の太陽電池モジュール（１）（１）の最端部に接続される電気配線であり、これらの電気配線（２５）（２５）は、図４の右端の架台（２）すなわち図５の中央部分の架台（２）において、その架台（２）の溝内を通って上方に導かれ、更にその架台（２）の上端部分に形成した開口（２３）から引き出されて、屋根に形成された配管口（２６）から建物本体の小屋裏側へ引き込まれるようになっている。そして、図示しないが、その小屋裏側から建物本体内のインバータヘ接続されることになる。
　　　【００１２】
　図３が、その電気配線（２５）の架台（２）内への収容状態を示している。この接続方向最端部の始端と終端の電気配線（２５）が、１つの架台（２）に形成した開口（２３）によってその架台（２）の溝（２７）内へ引き込まれてその溝（２７）内へ集約された後、その溝（２７）内を通って前記屋根の上端側に導かれるとともに、同じく架台（２）に形成した１つの開口（２３）から外部へ引き出されるものである。図４においては、各太陽電池モジュール（１）を上下２グループに分けており、一部を除いてそれぞれのグループ毎のこのような始端と終端の配線（２５）（２５）が、同じ架台（２）の溝（２７）内へ集約されてを通って上方へ導かれ、同じ開口（２３）から導出されている。図示していないが、図１の右半部の太陽電池モジュール（１）についても同様であって、この図４の右端の架台（２）を通して導出されるようになっている。
　　　【００１３】
　　【発明の効果】
　以上のように、この発明では、各太陽電池モジュール間の配線は、架台に形成した開口を介して相互に接続されるようになっているから、架台を迂回させたりする必要がなく直線的に整然と配線されるので、これらの配線が入り組んだりすることがない。また、接続方向の最端部の太陽電池モジュールに接続される配線は、開口部から同じ架台の溝内へ導入して集約された後、出口用の同じ開口から建物本体側へ導かれるようになっているので、この出口の開口を建物本体の引き込み部近くに設けることで、この配線もまた、外部に露出せず整然と纏めて収納されることになり、それらの配線が露出して外観を見苦しくすることがないとともに、その後の作業を配線によって妨げられて作業性を損なうといった不都合がないし、メンテナンスも容易である。
また、各モジュールを接続する配線は、架台の開口を通してその架台を横断する方向に配線されて、その架台を挟んで隣接するモジュール同士を接続するとともに、その架台と平行な架台に集約して、同じ架台の開口から建物本体側へ導き出すこととしているので、架台は互いに平行な一方向にのみ配置すれば足り、それらと直角な横方向にも架台を設ける必要がない。
【図面の簡単な説明】
　【図１】
　この発明の実施例を示す太陽電池モジュール取付け部分の要部の斜視図である。
　【図２】
　同じく太陽電池モジュール取付け部分の横断面図である。
　【図３】
　最端部の電気配線を架台内へ収容した状態を示す太陽電池モジュール取付け部分の要部横断斜視図である。
　【図４】
　太陽電池モジュールと電気配線の配置状態を示す概略平面図である。
　【図５】
　太陽電池モジュールを取付けた住宅の正面図である。
　【符号の説明】
（１）　　太陽電池モジュール
（２）　　架台
（２１）　電気配線
（２３）　開口
（２５）　電気配線
（２７）　架台の溝